(57)【要約】【課題】無線回路の消費電力を低減することが可能となる設定システムを提供すること。【解決手段】  無線通信用ＩＣ２に設定値を設定する制御用ＩＣ３であって、複数の設定値と、複数の電源電圧の値と、少なくとも複数の設定値及び複数の電源電圧の値に対応する送信電力の値と、複数の設定値及び複数の電源電圧の値に対応する無線通信用ＩＣ２の消費電流の値とを相互に関連付けている送信電力設定用情報を格納する記録部３１と、少なくとも無線通信用ＩＣ２に供給される電源電圧を測定する測定部３２１と、送信電力設定用情報と、測定した電源電圧の値とに基づいて、送信電力の値が基準範囲内となる設定値を選択する選択部３２２と、選択した設定値を設定する設定部３２３と、を備え、選択部３２２は、送信電力の値が基準範囲内となる設定値が複数存在する場合、複数の設定値に対応する消費電流の値に基づいて、１つの設定値を選択する。【選択図】図１
2020178327.tif 000002
【特許請求の範囲】
【請求項１】
自己に設定される設定値及び自己に供給される電源電圧に応じた無線送信用の送信電力を出力する無線回路に前記設定値を設定する設定システムであって、
複数の前記設定値と、複数の前記電源電圧の値と、少なくとも複数の前記設定値及び複数の前記電源電圧の値に対応する前記送信電力の値と、複数の前記設定値及び複数の前記電源電圧の値に対応する前記無線回路の消費電流の値とを相互に関連付けている設定用情報を格納する格納手段と、
少なくとも前記無線回路に供給される前記電源電圧を測定する測定手段と、
前記格納手段が格納している前記設定用情報と、前記測定手段が測定した前記電源電圧の値とに基づいて、前記送信電力の値が基準範囲内となる前記設定値を選択する選択手段と、
前記選択手段が選択した前記設定値を前記無線回路に設定する設定手段と、を備え、
前記選択手段は、前記送信電力の値が基準範囲内となる前記設定値が複数存在する場合、複数の前記設定値に対応する前記消費電流の値に基づいて、１つの前記設定値を選択する、
設定システム。
【請求項２】
前記設定用情報は、複数の前記設定値と、複数の前記電源電圧の値と、複数の周辺温度の値と、複数の前記設定値、複数の前記電源電圧の値、及び複数の前記周辺温度の値に対応する前記送信電力の値と、複数の前記設定値、複数の前記電源電圧の値、及び複数の前記周辺温度の値に対応する前記無線回路の消費電流の値とを相互に関連付けており、
前記測定手段は、更に、前記無線回路の前記周辺温度を測定し、
前記選択手段は、前記格納手段が格納している前記設定用情報と、前記測定手段が測定した前記電源電圧の値及び前記周辺温度の値とに基づいて、前記送信電力の値が基準範囲内となる前記設定値を選択する、
請求項１に記載の設定システム。
【請求項３】
前記無線回路は、バッテリ又は商用電源の内の何れか一方から前記電源電圧が供給され、
前記選択手段は、
前記バッテリから前記無線回路に前記電源電圧が供給されている場合において、前記送信電力の値が基準範囲内となる前記設定値が複数存在する場合、複数の前記設定値に対応する前記消費電流の値に基づいて、１つの前記設定値を選択し、
前記商用電源から前記無線回路に前記電源電圧が供給されている場合において、前記送信電力の値が基準範囲内となる前記設定値が複数存在する場合、複数の前記設定値に対応する前記消費電流の値に関わらず、１つの前記設定値を選択する、
請求項１又は２に記載の設定システム。
【請求項４】
前記無線回路は、無線送受信回路、又は無線送信専用回路を含む、
請求項１から３の何れか一項に記載の設定システム。
【発明の詳細な説明】
【技術分野】
【０００１】
本発明は、設定システムに関する。
【背景技術】
【０００２】
従来、電波を送信するために用いられる無線ＩＣが知られていた（例えば、特許文献１参照）。
【０００３】
そして、無線ＩＣについては、一般的には、無線ＩＣの電波の送信回路の構成から、無線ＩＣに設定される無線ＩＣが発射する電波の強度の設定値が固定値の場合に、無線ＩＣに印加される電源電圧が変動すると電源電圧の変動に応じて無線ＩＣが発射する電波の強度が変動することが知られている。電波法により空中線電力の偏差に範囲が定められていることから、無線ＩＣに印加される電源電圧に応じて、無線ＩＣから送信される電波の強度が、電波法に定める空中線電力の偏差の範囲内に収まるように、無線ＩＣを制御することが一般的である。例えば、所定の範囲内の送信電力を出力させる手法として、あらかじめ、無線ＩＣに供給される電源電圧の変動幅と、無線ＩＣに設定される上記設定値と、実際に送信される送信電力値との相互間の関係を把握しておき、送信される電波の強度が一定になるように、相互間の関係に基づいて無線ＩＣの設定値を適宜選択して設定するように制御していた。
【先行技術文献】
【特許文献】
【０００４】
【特許文献１】特開２０１９−３００２０号公報
【発明の概要】
【発明が解決しようとする課題】
【０００５】
ところで、本願発明者は、無線ＩＣの消費電流に着目して、無線ＩＣの設定値と送信電力の値と消費電流の値との相互間の関係を実験等で確認したところ、同様な値の送信電力を出力しているにも関わらず、相互間で消費電流の値が異なる場合があることに想到した。すなわち、例えば、無線ＩＣの設定値を変更することにより、送信電力を増大させていった場合、消費電流の値が下がる場合があることに想到した。
【０００６】
しかしながら、無線ＩＣに設定値を設定する従来の制御手法においては、消費電流について考慮されていなかったので、無線ＩＣの消費電力が増大してしまう可能性があった。
【０００７】
本発明は上記問題に鑑みてなされたもので、無線回路の消費電力を低減することが可能となる設定システムを提供することを目的とする。
【課題を解決するための手段】
【０００８】
上述した課題を解決し、目的を達成するために、請求項１に記載の設定システムは、自己に設定される設定値及び自己に供給される電源電圧に応じた無線送信用の送信電力を出力する無線回路に前記設定値を設定する設定システムであって、複数の前記設定値と、複数の前記電源電圧の値と、少なくとも複数の前記設定値及び複数の前記電源電圧の値に対応する前記送信電力の値と、複数の前記設定値及び複数の前記電源電圧の値に対応する前記無線回路の消費電流の値とを相互に関連付けている設定用情報を格納する格納手段と、少なくとも前記無線回路に供給される前記電源電圧を測定する測定手段と、前記格納手段が格納している前記設定用情報と、前記測定手段が測定した前記電源電圧の値とに基づいて、前記送信電力の値が基準範囲内となる前記設定値を選択する選択手段と、前記選択手段が選択した前記設定値を前記無線回路に設定する設定手段と、を備え、前記選択手段は、前記送信電力の値が基準範囲内となる前記設定値が複数存在する場合、複数の前記設定値に対応する前記消費電流の値に基づいて、１つの前記設定値を選択する。
【０００９】
また、請求項２に記載の設定システムは、請求項１に記載の設定システムにおいて、前記設定用情報は、複数の前記設定値と、複数の前記電源電圧の値と、複数の周辺温度の値と、複数の前記設定値、複数の前記電源電圧の値、及び複数の前記周辺温度の値に対応する前記送信電力の値と、複数の前記設定値、複数の前記電源電圧の値、及び複数の前記周辺温度の値に対応する前記無線回路の消費電流の値とを相互に関連付けており、前記測定手段は、更に、前記無線回路の前記周辺温度を測定し、前記選択手段は、前記格納手段が格納している前記設定用情報と、前記測定手段が測定した前記電源電圧の値及び前記周辺温度の値とに基づいて、前記送信電力の値が基準範囲内となる前記設定値を選択する。
【００１０】
また、請求項３に記載の設定システムは、請求項１又は２に記載の設定システムにおいて、前記無線回路は、バッテリ又は商用電源の内の何れか一方から前記電源電圧が供給され、前記選択手段は、前記バッテリから前記無線回路に前記電源電圧が供給されている場合において、前記送信電力の値が基準範囲内となる前記設定値が複数存在する場合、複数の前記設定値に対応する前記消費電流の値に基づいて、１つの前記設定値を選択し、前記商用電源から前記無線回路に前記電源電圧が供給されている場合において、前記送信電力の値が基準範囲内となる前記設定値が複数存在する場合、複数の前記設定値に対応する前記消費電流の値に関わらず、１つの前記設定値を選択する。
【００１１】
また、請求項４に記載の設定システムは、請求項１から３の何れか一項に記載の設定システムにおいて、前記無線回路は、無線送受信回路、又は無線送信専用回路を含む。
【発明の効果】
【００１２】
請求項１に記載の設定システムによれば、送信電力の値が基準範囲内となる設定値が複数存在する場合、複数の設定値に対応する消費電流の値に基づいて、１つの設定値を選択することにより、例えば、消費電流の値を考慮して適切な設定値を選択することができるので、無線回路の消費電力を低減することが可能となる。
【００１３】
請求項２に記載の設定システムによれば、測定した電源電圧の値及び周辺温度の値に基づいて、送信電力の値が基準範囲内となる設定値を選択することにより、例えば、周辺温度を考慮して適切な設定値を選択することができるので、温度変化が発生した場合であっても送信電力の値を確実に基準範囲内とすることが可能となる。
【００１４】
請求項３に記載の設定システムによれば、バッテリから電源電圧が供給されている場合、複数の設定値に対応する消費電流の値に基づいて１つの設定値を選択し、また、商用電源から電源電圧が供給されている場合、複数の設定値に対応する消費電流の値に関わらず１つの設定値を選択することにより、例えば、バッテリからの電源電圧で動作しており低消費電力化が特に必要な場合にのみ消費電流を考慮することができるので、設定値を選択する処理の内容を、商用電流から電源電圧が供給されている場合簡略化することが可能となる。
【００１５】
請求項４に記載の設定システムによれば、無線回路は、無線送受信回路、又は無線送信専用回路を含むことにより、例えば、無線送受信回路又は無線送信専用回路の消費電力を低減することが可能となる。
【図面の簡単な説明】
【００１６】
【図１】本実施の形態に係る回路システムのブロック図である。
【図２】送信電力設定用情報を例示した図である。
【図３】基準情報を説明するための図である。
【図４】設定処理のフローチャートである。
【図５】温度対応送信電力設定用情報を例示した図である。
【発明を実施するための形態】
【００１７】
以下に、本発明に係る設定システムの実施の形態を図面に基づいて詳細に説明する。なお、この実施の形態によりこの発明が限定されるものではない。
【００１８】
〔実施の形態の基本的概念〕
まずは、実施の形態の基本的概念について説明する。実施の形態は、概略的に、設定システムに関するものである。
【００１９】
「設定システム」とは、設定値を無線回路に設定するシステムであり、例えば、１個の集積回路、あるいは、複数の集積回路にて実現されるシステム等を含む概念であり、一例としては、格納手段、測定手段、選択手段、及び設定手段を備える。
【００２０】
「無線回路」とは、電波を用いて通信を行うために用いられる回路であり、具体的には、自己に設定される設定値及び自己に供給される電源電圧に応じた無線送信用の送信電力を出力する回路であり、例えば、無線送受信用の回路である無線送受信回路、及び無線送信専用の回路である無線送信専用回路等を含む概念である。また、「無線回路」とは、例えば、バッテリ又は商用電源の内の何れか一方から電源電圧が供給される回路等を含む概念である。
【００２１】
「無線回路」が適用される機器は任意であるが、例えば、住宅用火災警報器、センサ送信機、及び施錠確認センサ機器等を含む防災機器、または、セキュリティ機器、あるいは防災目的およびセキュリティ目的以外の任意の機器等に適用することもできる。
【００２２】
「設定値」とは、無線回路から出力される送信電力を設定するための値であり、例えば、無線回路の仕様に基づいて複数個定義されているもの等を含む概念である。「送信電力」とは、電波を出力するために無線回路から出力される電力であり、例えば、無線回路からアンテナ側に出力される電力等を含む概念である。
【００２３】
「格納手段」とは、設定用情報を格納する手段である。「設定用情報」とは、例えば、無線回路に対して設定値を設定するために用いられる情報であり、一例としては、複数の設定値と、複数の電源電圧の値と、少なくとも複数の設定値及び複数の電源電圧の値に対応する送信電力の値と、複数の設定値及び複数の電源電圧の値に対応する無線回路の消費電流の値とを相互に関連付けている情報等を含む概念である。また、「設定用情報」とは、例えば、複数の設定値と、複数の電源電圧の値と、複数の周辺温度の値と、複数の設定値、複数の電源電圧の値、及び複数の周辺温度の値に対応する送信電力の値と、複数の設定値、複数の電源電圧の値、及び複数の周辺温度の値に対応する無線回路の消費電流の値とを相互に関連付けている情報等を含む概念である。
【００２４】
「測定手段」とは、少なくとも無線回路に供給される電源電圧を測定する手段であり、例えば、無線回路の周辺温度も測定する手段等を含む概念である。
【００２５】
「選択手段」とは、格納手段が格納している設定用情報と、測定手段が測定した電源電圧の値とに基づいて、送信電力の値が基準範囲内となる設定値を選択する手段であり、具体的には、送信電力の値が基準範囲内となる設定値が複数存在する場合、複数の設定値に対応する消費電流の値に基づいて、１つの設定値を選択する手段である。
【００２６】
また、「選択手段」とは、例えば、格納手段が格納している設定用情報と、測定手段が測定した電源電圧の値及び周辺温度の値とに基づいて、送信電力の値が基準範囲内となる設定値を選択する手段等を含む概念である。
【００２７】
また、「選択手段」とは、例えば、バッテリから無線回路に電源電圧が供給されている場合において、送信電力の値が基準範囲内となる設定値が複数存在する場合、複数の設定値に対応する消費電流の値に基づいて、１つの設定値を選択し、商用電源から無線回路に電源電圧が供給されている場合において、送信電力の値が基準範囲内となる設定値が複数存在する場合、複数の設定値に対応する消費電流の値に関わらず、１つの設定値を選択する手段等を含むが概念である。
【００２８】
「基準範囲」とは、送信電力の値について予め定められている範囲であり、具体的には、１つの基準値を基準にした範囲であり、例えば、法令に基づいて定めらたり、あるいは、法令以外に基づいて定められたりする範囲である。
【００２９】
「バッテリ」とは、例えば、蓄電している電力を供給する供給手段である。「商用電源」とは、例えば、電力会社側から送られる電力を供給する供給手段である。
【００３０】
そして、以下の実施形態では、設定システムが周辺温度を考慮しないで設定値を設定する場合について説明し、周辺温度を考慮する場合については、変形例において説明する。
【００３１】
［実施の形態の具体的内容］
次に、実施の形態の具体的内容について説明する。
【００３２】
（構成）
まず、本実施の形態に係る回路システムの構成について説明する。図１は、本実施の形態に係る回路システムのブロック図である。
【００３３】
回路システム１００は、例えば、防災機器に実装されている電気回路のシステムであり、一例としては、バッテリ１１、アンテナ１２、電気抵抗１３、１４、無線通信用集積回路（以下、集積回路を「ＩＣ」とも称する）２、及び制御用ＩＣ３を備える。
【００３４】
（構成−バッテリ）
バッテリ１１は、前述の供給手段である。このバッテリ１１の具体的な種類や構成は任意であるが、例えば、少なくとも無線通信用ＩＣ２、及び制御用ＩＣ３に対して電源電圧を供給するものであり、また、二次電池等を用いて構成するとができる。なお、このバッテリ１１から供給される電源電圧の値については、回路システム１００に設けられている不図示の構成要素であって、当該バッテリ１１からの電源電圧によって動作する構成要素の動作状況や当該バッテリ１１の残充電量等に応じて変動する可能性がある。
【００３５】
（構成−アンテナ）
アンテナ１２は、無線通信用ＩＣ２から出力される送信電力に基づいて電波を出力するものである。このアンテナ１２の具体的な種類や構成は任意であるが、例えば、ループアンテナ等を用いることができる。
【００３６】
（構成−電気抵抗）
電気抵抗１３、１４は、電源電圧を分圧する分圧手段である。この電気抵抗１３、１４の具体的な種類や構成は任意であるが、例えば、チップ抵抗器等を用いることができる。
【００３７】
（構成−無線通信用ＩＣ）
無線通信用ＩＣ２は、前述の無線回路である。この無線通信用ＩＣ２の具体的な種類や構成は任意であるが、例えば、無線送信専用回路であり、また、バッテリ１１から供給される電源電圧を利用して動作するものであり、また、自己に設定される送信電力についての設定値及び当該電源電圧の値に応じた値の送信電力を出力するものであり、また、無線側第１端子Ｔ２１、無線側第２端子Ｔ２２、及び無線側第３端子Ｔ２３を備える。
【００３８】
（構成−無線通信用ＩＣ−端子）
無線側第１端子Ｔ２１は、バッテリ１１からの電源電圧が入力される端子である。無線側第２端子Ｔ２２は、制御用ＩＣ３との間で通信を行うための端子である。無線側第３端子Ｔ２３は、アンテナ１２に対して送信電力を出力する端子である。
【００３９】
（構成−制御用ＩＣ）
制御用ＩＣ３は、前述の設定システムである。この制御用ＩＣ３の具体的な種類や構成は任意であるが、例えば、防災機器を制御するためのマイクロコンピュータであり、また、バッテリ１１から供給される電源電圧を利用して動作するものであり、また、無線通信用ＩＣ２との間で通信を行うように構成されているものである。制御用ＩＣ３は、例えば、制御側第１端子Ｔ３１、制御側第２端子Ｔ３２、制御側第３端子Ｔ３３、記録部３１、及び制御部３２を備える。なお、制御用ＩＣ３は、図１で図示されている構成以外に様々な構成を備え得るが、ここでは、本願に特徴的な構成のみ図示して説明する。
【００４０】
（構成−制御用ＩＣ−端子）
制御側第１端子Ｔ３１は、バッテリ１１からの電源電圧が入力される端子である。制御側第２端子Ｔ３２は、無線通信用ＩＣ２との間で通信を行うための端子である。制御側第３端子Ｔ３３は、バッテリ１１からの電源電圧の値を測定するための端子であって、電気抵抗１３、１４で分圧された電源電圧が入力される測定用の端子である。
【００４１】
（構成−制御用ＩＣ−記録部）
記録部３１は、前述の格納手段であり、具体的には、制御用ＩＣ３の動作に必要なプログラム及び各種のデータを記録する記録手段であり、例えば、フラッシュメモリ等を用いて構成することができる。この記録部３１には、送信電力設定用情報、及び基準情報が記録されている。
【００４２】
（構成−制御用ＩＣ−記録部−送信電力設定用情報）
「送信電力設定用情報」とは、前述の設定用情報である。図２は、送信電力設定用情報を例示した図である。送信電力設定用情報は、この図２に示すように、項目「設定値情報」と、項目「電源電圧情報」と、各項目に対応する情報とが対応付けられている。項目「設定値情報」に対応する情報は、無線通信用ＩＣ２の送信電力の設定値を特定する設定値情報である（図２では、１６進数で示されており、「Ｃ」、「Ｄ」等である）。項目「電源電圧情報」に対応する情報は、バッテリ１１から無線通信用ＩＣ２に供給される電源電圧の値を特定する電源電圧情報である（図２では、３．６Ｖを特定する「３．６」等）。なお、この電源電圧情報については、図２では、「３．６」、「３．４」のように、０．２Ｖ刻みの情報が説明の便宜上のために図示されている。また、この電源電圧情報は、項目「電力情報」と、項目「消費電流情報」と、各項目に対応する情報とが対応付けられている。項目「電力情報」に対応する情報は、無線通信用ＩＣ２から出力される送信電力の値を特定する電力情報である（図２では、４．２ｄＢｍを示す「４．２」等である）。項目「消費電流情報」に対応する情報は、無線通信用ＩＣ２での消費電流の値の特定する消費電流情報である（図２では、１４ｍＡを特定する「１４」等である）。そして、これらの電力情報及消費電流情報は、各電源電圧情報及び各設定値情報に対応付けられている。なお、ここでの送信電力設定用情報の具体的な格納手法は任意であるが、例えば、無線通信用ＩＣ２についての実験又はシミュレーション等に基づいて、各設定値及び各電源電圧における送信電力及び消費電流を把握した上で、把握した当該情報を任意の手法で制御用ＩＣ３に入力することにより格納される。
【００４３】
（構成−制御用ＩＣ−記録部−基準情報）
図１の「基準情報」とは、前述の基準範囲を特定する基準情報である。図３は、基準情報を説明するための図である。図１の基準情報としては、例えば、図３の第１〜第６閾値を特定する情報が法令に基づいて記録されていることとして、以下説明する。第１〜第６閾値は、出力するべき送信電力の基準となる基準値を基準にした基準範囲を規定する情報であり、具体的には、第１閾値は基準範囲の上限値であり、また、第６閾値は基準範囲の下限値であり、また、第２〜第５閾値は基準範囲を複数の範囲に区分するための閾値である。そして、これらの基準値及び第１〜第６閾値の具体的な値は任意であるが、ここでは、例えば、基準値として７ｄＢｍ（つまり、５．０ｍＷ）が記録されており、第１値として基準値の＋２０％に対応する７．８ｄＢｍ（つまり、６．０ｍＷ）が記録されており、第６閾値として基準値の−５０％に対応する４．０ｄＢｍ（つまり、２．５ｍＷ）が記録されており、第２〜第５閾値として基準値の＋１０％、＋５％、−５％、−２５％に対応する７．４ｄＢｍ（つまり、５．５ｍＷ）、７．２ｄＢｍ（つまり、５．３ｍＷ）、６．８ｄＢｍ（つまり、４．８ｍＷ）、５．７ｄＢｍ（つまり、４．０ｍＷ）が記録されている場合を例示説明する。そして、図３に示すように、これらの第１〜第６閾値によって、基準範囲が第１範囲、第２上側範囲、第３上側範囲、第２下側範囲、及び第３下側範囲の５個の範囲に区分されることになる。
【００４４】
（構成−制御用ＩＣ−制御部）
図１の制御部３２は、制御用ＩＣ３を制御する制御手段である。この制御部３２の具体的な種類や構成は任意であるが、例えば、演算回路、及びメモリ等を用いて構成することができるものであり、また、機能概念的には、測定部３２１、選択部３２２、及び設定部３２３を備える。測定部３２１は、無線通信用ＩＣ２に供給される電源電圧を測定する測定手段である。選択部３２２は、記録部３１が格納している送信電力設定用情報と、測定部３２１が測定した電源電圧の値とに基づいて、送信電力の値が基準範囲内となる設定値を選択する選択手段であり、具体的には、送信電力の値が基準範囲内となる設定値が複数存在する場合、複数の設定値に対応する消費電流の値に基づいて、１つの設定値を選択する手段である。設定部３２３は、選択部３２２が選択した設定値を無線通信用ＩＣ２に設定する設定手段である。そして、このような制御部３２の各部によって実行される処理については後述する。
【００４５】
（処理）
次に、このように構成される回路システム１００によって実行される設定処理について説明する。図４は、設定処理のフローチャートである（以下の各処理の説明ではステップを「Ｓ」と略記する）。「設定処理」とは、概略的には、制御用ＩＣ３にて実行される処理であり、例えば、無線通信用ＩＣ２に設定値を設定するための処理である。この設定処理を実行するタイミングは任意であるが、例えば、図１のバッテリ１１からの電源電圧が無線通信用ＩＣ２及び制御用ＩＣ３に供給された後において、電波を出力する場合に繰り返し実行を開始するものとして、実行が開始されたところから説明する。
【００４６】
図４のＳＡ１において制御用ＩＣ３の測定部３２１は、無線通信用ＩＣ２に供給される電源電圧を測定する。具体的には任意であるが、例えば、無線通信用ＩＣ２及び制御用ＩＣ３に対して相互に同じ値の電源電圧が供給されているものとして、以下の処理を行う。より具体的には、制御側第３端子Ｔ３３に印加される電圧を測定し、測定した電圧の値について所定の演算（例えば、電気抵抗１３、１４の抵抗値を考慮して制御側第１端子Ｔ３１に印加される電圧（つまり、無線通信用ＩＣ２の無線側第１端子Ｔ２１）に換算する演算）を行うことにより、制御用ＩＣ３に供給される電源電圧の値を演算して、当該演算結果を無線通信用ＩＣ２に供給される電源電圧とする。
【００４７】
ここでは、例えば、無線通信用ＩＣ２に供給される電源電圧として２．６Ｖを測定したこととして、以下説明する。
【００４８】
図４のＳＡ２において制御用ＩＣ３の選択部３２２は、設定値を選択する。具体的には任意であるが、ＳＡ１で測定した電源電圧の値と、図１の記録部３１の基準情報とを取得した上で、図２の送信電力設定用情報において、取得した電源電圧の値に対応する電源電圧情報に対応付けられている電力情報を参照して、当該電力情報が前述の取得した基準情報が特定する基準範囲内となる設定値情報を特定する。詳細には、図３において、基準値に対してより近い送信電力を出力することが好ましい点を考慮して、第１範囲、第２上側範囲及び第２下側範囲（以下、「第２範囲」とも称する）、第３上側範囲第及び第３下側範囲（以下、「第３範囲」とも称る）の３個のグループに分けて、第１〜第３範囲の順で優先度（つまり、第１範囲が最高の優先度となり、第３範囲が最低の優先順位となる優先度）を設定した上で、優先度がより高い範囲に対応する設定値情報を特定する。
【００４９】
より詳細には、前述の参照している図２の電力情報において、第１範囲に属する電力情報が存在するか否かを判定し、存在するものと判定した場合、第２及び第３範囲に属する電力情報の有無に関わらず、当該第１範囲に属する電力情報に対応する設定値情報を特定する。また、第１範囲に属する電力情報が存在しないものと判定した場合、第２範囲に属する電力情報が存在するか否かを判定し、存在するものと判定した場合、第３範囲に属する電力情報の有無に関わらず、当該第２範囲に属する電力情報に対応する設定値情報を特定する。また、第２範囲に属する電力情報が存在しないものと判定した場合、第３範囲に属する電力情報に対応する設定値情報を特定する。
【００５０】
そして、特定した設定値情報が１個のみである場合、当該特定した設定値情報が示す設定値を選択する。一方、特定した設定値情報が２個以上（つまり、複数）存在する場合、当該特定した２個以上の設定値情報に対応する消費電流情報を参照して、当該参照した消費電流情報が最小となる設定情報が示す設定値を選択する。なお、消費電流情報が最小となる設定情報も２個以上存在することも想定されるが、この場合、任意の手法（例えば、最も数値が小さいものを選択する手法、あるいは、無線通信用ＩＣ２に対して現在設定されている設定値に最も近いものを選択する手法等）で１個のみ設定情報が示す設定値を選択することとする。
【００５１】
ここでは、例えば、ＳＡ１で測定した電源電圧の値である２．６Ｖと、図１の記録部３１の基準情報とを取得した上で、図２の送信電力設定用情報において、取得した電源電圧の値である２．６Ｖに対応する電源電圧情報に対応する「電力情報」＝「３．７」、「４．５」・・・「８．６」等を参照して、当該電力情報が前述の取得した基準情報が特定する基準範囲内となる設定値情報を特定する。ここでは、第１範囲である６．８以上〜７．未満に属する電力情報が「７．０」、「７．１」であり、第２範囲である７．２以上〜７．４未満又は５．７以上〜６．８未満に属する電力情報が「５．９」、「６．１」、「６．４」、「７．３」であり、第３範囲である７．４以上〜７．８未満又は４．０以上〜５．７未満に属する電力情報が「４．５」、「５．０」、「５．６」、「７．７」であるので、前述の優先度に従って、第１範囲に属する電力情報が「７．０」、「７．１」の２個存在することになる。そして、これらの「７．０」、「７．１」に対応する消費電流情報は「１３．９」、「１３．８」であるので、小さい方の「消費電流情報」＝「１３．８」に対応する設定値情報が示す設定値として「１４」を選択する。
【００５２】
図４のＳＡ３において制御用ＩＣ３の設定部３２３は、無線通信用ＩＣ２に対して設定値を設定する。具体的には任意であるが、例えば、ＳＡ２で選択した設定値を取得し、選択した設定値を示す信号を、図１の制御側第２端子Ｔ３２を介して無線通信用ＩＣ２に対して出力することにより設定する。この場合、制御用ＩＣ３から出力された信号は、無線側第２端子Ｔ２２を介して無線通信用ＩＣ２に対して入力されて、入力された信号が示す設定値が無線通信用ＩＣ２に設定されることになり、当該無線通信用ＩＣ２は、自己に設定されている設定値に対応する送信電力を無線側第３端子Ｔ２３を介してアンテナ１２側に出力して、電波を出力することになる。
【００５３】
ここでは、例えば、制御用ＩＣ３の設定部３２３は、ＳＡ２で選択した設定値である「１４」を取得し、選択した設定値である「１４」を示す信号を、図１の制御側第２端子Ｔ３２を介して無線通信用ＩＣ２に対して出力することにより設定する。この場合、無線通信用ＩＣ２は、送信電力を出力するための設定値として「１４」が設定されて、当該１４に対応する送信電力として例えば７．１ｄＢｍの電力をアンテナ１２側に出力することになる。これにて、設定処理を終了する。
【００５４】
（送信電力と消費電力）
前述のＳＡ２において、電力情報が基準範囲内となり、且つ、消費電流情報が最小となる設定値情報が示す設定値を選択しているので、任意の要因で電源電圧の値が変動した場合であっても、設定処理を繰り返し実行することにより、法令に従って適切な値の送信電力を低消費電力で出力することが可能となる。
【００５５】
（実施の形態の効果）
このように本実施の形態によれば、送信電力の値が基準範囲内となる設定値が複数存在する場合、複数の設定値に対応する消費電流の値に基づいて、１つの設定値を選択することにより、例えば、消費電流の値を考慮して適切な設定値を選択することができるので、無線通信用ＩＣ２の消費電力を低減することが可能となる。
【００５６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５７】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００５８】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。また、本出願における「装置」とは、単一の装置によって構成されたものに限定されず、複数の装置によって構成されたものを含む。
【００５９】
（測定について）
また、上記実施の形態の図４のＳＡ１においては、図１の制御側第３端子Ｔ３３に印加される電圧を測定し、測定した電圧の値について、電気抵抗１３、１４の抵抗値を考慮して制御側第１端子Ｔ３１に印加される電圧に換算する場合について説明したが、これに限らない。例えば、図２の電源電圧情報として、電気抵抗１３、１４で分圧された値を記録した上で、制御側第３端子Ｔ３３に印加される電圧を測定し、測定した電圧の値をについて換算を行わずに、無線通信用ＩＣ２に供給される電源電圧の値として用いてもよい。
【００６０】
（基準範囲について）
また、上記実施の形態の図４のＳＡ２においては、図３に図示されているように、基準範囲が５個の範囲に分けられている場合について説明したが、これに限らない。基準範囲を１個のみの範囲（一例としては、第６閾値以上〜第１閾値未満の範囲等の任意の範囲）とした上で、前述の優先度を考慮せずに処理を行うように構成してもよいし、あるいは、２個〜４個の範囲、又は６個以上の範囲として、前述の優先度を考慮して処理を行うように構成してもよい。
【００６１】
（優先度について）
また、上記実施の形態の図４のＳＡ２においては、第１〜第３範囲の順で優先度を設定する場合について説明したが、これに限らず、他の任意の順で優先度を設定してもよい。
【００６２】
（周辺温度について）
また、上記実施の形態の図２の送信電力設定用情報に対して温度情報も対応付けた上で、図１の無線通信用ＩＣ２の周辺の温度も考慮して、設定値を選択するように構成してもよい。図５は、温度対応送信電力設定用情報を例示した図である。「温度対応送信電力設定用情報」とは、前述の設定用情報であり、例えば、図２の送信電力用情報の各情報と温度情報とを対応付けた情報である。なお、「温度情報」とは、無線通信用ＩＣ２の周辺の温度を特定する温度情報である（図５では、摂氏３４度を特定する「３４」等）。
【００６３】
具体的な実現手法は任意であるが、例えば、温度対応送信電力設定用情報が、図２の送信電力設定用情報の代わりに、当該送信電力設定用情報と同様な手法で記録部３１に記録されていることとする。
【００６４】
そして、図４のＳＡ２において、まず、測定部３２１が、無線通信用ＩＣ２の周辺の温度を測定する。具体的な手法は任意であるが、例えば、無線通信用ＩＣ２に温度測定機能が実装されていることとし、無線通信用ＩＣ２との間で通信を行って、当該温度測定機能を利用して無線通信用ＩＣ２の周辺の温度を測定する。なお、温度測定用の不図示の温度測定用の素子が実装されていることとし、当該素子を用いて温度を測定するように構成してもよい。ここでは、例えば、３４度を測定する場合を例示して説明する。
【００６５】
次に、選択部３２２が、前述の測定した温度の値を取得し、図５の温度対応送信電力設定用情報のうちの、当該取得した温度の値に対応する情報を参照して、実施の形態で説明した場合と同様にして、設定値を選択する。ここでは、例えば、測定部３２１が測定した３４度を取得し、図５の「温度情報」＝「３４」に対応する情報を参照した上で、設定値を選択する。
【００６６】
このように構成することにより、測定した電源電圧の値及び周辺温度の値に基づいて、送信電力の値が基準範囲内となる設定値を選択することにより、例えば、周辺温度を考慮して適切な設定値を選択することができるので、温度変化が発生した場合であっても送信電力の値を確実に基準範囲内とすることが可能となる。
【００６７】
（商用電源について）
また、上記実施の形態の図１の回路システム１００の制御用ＩＣ３及び無線通信用ＩＣ２に対して、バッテリ１１又は不図示の商用電源の内の何れか一方から電源電圧が供給されるように構成した上で、何れから電源電圧が供給されているかに基づいて設定値を選択するように構成してもよい。具体的な実現手法は任意であるが、例えば、図１のバッテリ１１と電気抵抗１３とが相互に接続されている接続点よりもバッテリ１１側にスイッチング回路（接続先を切り替える任意の回路）を設け、また、商用電源からの交流電圧を直流電圧に変換する交流直流変換回路を当該スイッチング回路に接続した上で、制御用ＩＣ３の制御部３２の制御によってスイッチング回路を切り替えることにより、バッテリ１１側からの電源電圧の供給に切り替えたり、あるいは、商用電源側からの電源電圧の供給に切り替えたりできるように構成する。そして、図４のＳＡ２において、まず、選択部３２２が、スイッチング回路の切り替え状態に基づいて、バッテリ１１から無線通信用ＩＣ２に電源電圧が供給されているか、商用電源から無線通信用ＩＣ２に電源電圧が供給されているかを判定する。バッテリ１１から無線通信用ＩＣ２に電源電圧が供給されいるものと判定した場合、実施の形態で説明した場合と同様にして図２の消費電流情報を適宜用いて１つの設定値を選択し、一方、商用電源から無線通信用ＩＣ２に電源電圧が供給されているかを判定した場合、図２の消費電流情報を用いずに、１つの設定値を選択するように構成する。なお、消費電流情報を用いずに１つの設定値を選択する場合については、例えば、図２において基準範囲内となるものと特定した設定値情報が複数存在する場合、任意の手法（例えば、最も数値が小さいものを選択する手法、あるいは、無線通信用ＩＣ２に対して現在設定されている設定値に最も近いものを選択する手法等）で１個のみ設定情報を特定し、特定した設定情報が示す設定値を選択することとしてもよい。
【００６８】
このように構成することにより、バッテリ１１から電源電圧が供給されている場合、複数の設定値に対応する消費電流の値に基づいて１つの設定値を選択し、また、商用電源から電源電圧が供給されている場合、複数の設定値に対応する消費電流の値に関わらず１つの設定値を選択することにより、例えば、バッテリ１１からの電源電圧で動作しており低消費電力化が特に必要な場合にのみ消費電流を考慮することができるので、設定値を選択する処理の内容を、商用電流から電源電圧が供給されている場合簡略化することが可能となる。
【００６９】
（特徴について）
また、実施の形態の特徴及び変形例の特徴を任意に組み合わせてもよい。
【００７０】
（付記）
付記１の設定システムは、自己に設定される設定値及び自己に供給される電源電圧に応じた無線送信用の送信電力を出力する無線回路に前記設定値を設定する設定システムであって、複数の前記設定値と、複数の前記電源電圧の値と、少なくとも複数の前記設定値及び複数の前記電源電圧の値に対応する前記送信電力の値と、複数の前記設定値及び複数の前記電源電圧の値に対応する前記無線回路の消費電流の値とを相互に関連付けている設定用情報を格納する格納手段と、少なくとも前記無線回路に供給される前記電源電圧を測定する測定手段と、前記格納手段が格納している前記設定用情報と、前記測定手段が測定した前記電源電圧の値とに基づいて、前記送信電力の値が基準範囲内となる前記設定値を選択する選択手段と、前記選択手段が選択した前記設定値を前記無線回路に設定する設定手段と、を備え、前記選択手段は、前記送信電力の値が基準範囲内となる前記設定値が複数存在する場合、複数の前記設定値に対応する前記消費電流の値に基づいて、１つの前記設定値を選択する。
【００７１】
付記２の設定システムは、付記１に記載の設定システムにおいて、前記設定用情報は、複数の前記設定値と、複数の前記電源電圧の値と、複数の周辺温度の値と、複数の前記設定値、複数の前記電源電圧の値、及び複数の前記周辺温度の値に対応する前記送信電力の値と、複数の前記設定値、複数の前記電源電圧の値、及び複数の前記周辺温度の値に対応する前記無線回路の消費電流の値とを相互に関連付けており、前記測定手段は、更に、前記無線回路の前記周辺温度を測定し、前記選択手段は、前記格納手段が格納している前記設定用情報と、前記測定手段が測定した前記電源電圧の値及び前記周辺温度の値とに基づいて、前記送信電力の値が基準範囲内となる前記設定値を選択する。
【００７２】
付記３の設定システムは、付記１又は２に記載の設定システムにおいて、前記無線回路は、バッテリ又は商用電源の内の何れか一方から前記電源電圧が供給され、前記選択手段は、前記バッテリから前記無線回路に前記電源電圧が供給されている場合において、前記送信電力の値が基準範囲内となる前記設定値が複数存在する場合、複数の前記設定値に対応する前記消費電流の値に基づいて、１つの前記設定値を選択し、前記商用電源から前記無線回路に前記電源電圧が供給されている場合において、前記送信電力の値が基準範囲内となる前記設定値が複数存在する場合、複数の前記設定値に対応する前記消費電流の値に関わらず、１つの前記設定値を選択する。
【００７３】
付記４の設定システムは、付記１から３の何れか一項に記載の設定システムにおいて、前記無線回路は、無線送受信回路、又は無線送信専用回路を含む。
【００７４】
（付記の効果）
付記１に記載の設定システムによれば、送信電力の値が基準範囲内となる設定値が複数存在する場合、複数の設定値に対応する消費電流の値に基づいて、１つの設定値を選択することにより、例えば、消費電流の値を考慮して適切な設定値を選択することができるので、無線回路の消費電力を低減することが可能となる。
【００７５】
付記２に記載の設定システムによれば、測定した電源電圧の値及び周辺温度の値に基づいて、送信電力の値が基準範囲内となる設定値を選択することにより、例えば、周辺温度を考慮して適切な設定値を選択することができるので、温度変化が発生した場合であっても送信電力の値を確実に基準範囲内とすることが可能となる。
【００７６】
付記３に記載の設定システムによれば、バッテリから電源電圧が供給されている場合、複数の設定値に対応する消費電流の値に基づいて１つの設定値を選択し、また、商用電源から電源電圧が供給されている場合、複数の設定値に対応する消費電流の値に関わらず１つの設定値を選択することにより、例えば、バッテリからの電源電圧で動作しており低消費電力化が特に必要な場合にのみ消費電流を考慮することができるので、設定値を選択する処理の内容を、商用電流から電源電圧が供給されている場合簡略化することが可能となる。
【００７７】
付記４に記載の設定システムによれば、無線回路は、無線送受信回路、又は無線送信専用回路を含むことにより、例えば、無線送受信回路又は無線送信専用回路の消費電力を低減することが可能となる。
【符号の説明】
【００７８】
２  無線通信用集積回路
３  制御用ＩＣ
１１  バッテリ
１２  アンテナ
１３  電気抵抗
１４  電気抵抗
３１  記録部
３２  制御部
１００  回路システム
３２１  測定部
３２２  選択部
３２３  設定部
Ｔ２１  無線側第１端子
Ｔ２２  無線側第２端子
Ｔ２３  無線側第３端子
Ｔ３１  制御側第１端子
Ｔ３２  制御側第２端子
Ｔ３３  制御側第３端子
【図１】
2020178327.tif 000003
【図２】
2020178327.tif 000004
【図３】
2020178327.tif 000005
【図４】
2020178327.tif 000006
【図５】
2020178327.tif 000007